(57)【要約】【課題】密封性を維持しつつ、特殊な加工の付与・付属品の装着・特殊フィルムの使用・複雑な製造工程を必要とせず、従来の密封性の高い包装容器に簡便に付加でき、はさみやナイフ等の道具を使用しなくとも手指で簡単容易に包装容器を開封し、被包装物の形状を維持して容易に取り出すことができ、あわせて、被包装物を使用する際の容器にもなる開封口を有する深絞り包装容器を提供する。【解決手段】ボトムフィルムを深絞りして成形したボトムトレイに、被包装物を入れた後、トップフィルムを被せ、ボトムフィルムとトップフィルムの重なり部をシールしてなる深絞り包装容器の、該重なり部の一部をシール部と未シール部を交互に設けた部分シール部と、該部分シール部に切込み部を設け、切裂き部とした。【選択図】図１
2019099235.tif 000002
【特許請求の範囲】
【請求項１】
ボトムフィルムを深絞りして成形したボトムトレイに、被包装物を入れた後、トップフィルムを被せ、ボトムフィルムとトップフィルムの重なり部をシールしてなる深絞り包装容器の、該重なり部の一部をシール部と未シール部を交互に設けた部分シール部と、該部分シール部に切込み部を設け、切裂き部としたことを特徴とする深絞り包装容器。
【請求項２】
切込み部は、深絞り包装容器の外辺に対して略垂直に設け、部分シール部は切込み部に平行して設けた請求項１記載の深絞り包装容器。
【請求項３】
部分シール部は切込み部に対して略４５度上向き又は下向きに設けた請求項２記載の深絞り包装容器。
【発明の詳細な説明】
【技術分野】
【０００１】
本発明は、深絞り包装容器に関するものである。
【背景技術】
【０００２】
食品・医療用機器等製品の製造時の品質や安全性を、消費者が使用する時まで、維持・保持する包装容器の機能は重要性を増している。特に、密閉性に関する包装容器の形状、材質、その構造は、様々な流通、保管状態を経る被包装物の品質や安全性を左右するものである。
【０００３】
安全性等を担保するために、包装材料や貼着部を強固にした場合、はさみやカッター等の道具を用いて、包装容器を開封する必要がある。
【０００４】
このように、安全性等を担保するために貼着部を強固にした場合、道具を使用しないと開封困難となり利便性が低くなるという課題があるが、被包装物を取り出すための包装容器を開封する手段として、特許文献１は深絞り容器における易開封手段を開示する。
【０００５】
具体的には、図１７に示すように、深絞り包装容器１は、ボトムトレイ２の周縁を外側に折り曲げてフラットなシール縁部５２を形成すると共に、このボトムトレイ２をトップフィルム４で密封する際に、ヒートシール部分の一部に未シール部７、８を形成し、更に、前記未シール部７、８にティアテープ５１の端を位置させると共に、前記トップフィルム未シール部８であって、ティアテープ５１の端の両側にノッチ５０、５０を入れ、更にコーナーに未シール部分７、８を形成してなる。
【０００６】
特許文献１の深絞り包装容器１は、開封に際しては、ノッチ５０の入ったティアテープ５１の端を指先で摘み、ティアテープ５１をその長手方向に引き上げることで、トップフィルム４はティアテープ５１に沿って切り裂かれて包装を開封して、容易に被包装物２９を取り出すことができる。
【０００７】
しかし、特許文献１の発明は、包装容器としてボトムフィルムとトップフィルム以外にティアテープ５１を必要とし、更に、ティアテープ５１を挟み込み、その位置を決める必要があるため製造工程が複雑となる課題が残る。
【０００８】
ここで、下記特許文献２には易引裂性一軸延伸ポリエチレンフィルム、その積層体並びにその積層体を用いた包装袋および蓋材が開示されている。
【０００９】
具体的には、図１８から図２０に示すように、積層体６２では、前記一軸延伸ポリエチレンフィルム６０に最内層となる熱接着性樹脂層６３およびその他の層（図示されていない）が積層され、前記一軸延伸ポリエチレンフィルム６０にはハーフカットライン６１が設けられているが、前記熱接着性樹脂層６３は包装袋６４として用いるときは最内層で熱接着部６６として機能する。
【００１０】
積層体６２を包装袋６４として用いる場合、当該包装袋は、切断開封部分となるハーフカットライン６１が前記包装袋の表面全周に渡って閉じられるように、積層体６２の内側周縁で相対する熱接着性樹脂層６３が熱溶融により接着されている（熱接着部６６）。このハーフカットライン６１に沿って手で引き裂くようにして開封することが可能であるが、さらに、前記ハーフカットライン接着部分の端部の少なくとも一つに積層体６２を全貫通するノッチ６５があると、このノッチ６５からハーフカットライン６１に沿って手で引き裂くようにすることによってより簡単に開封できる。
【先行技術文献】
【特許文献】
【００１１】
【特許文献１】特開平９−１４２５３５号公報（深絞り容器における易開封手段）
【特許文献２】特開２０１７−１４８９５４号公報（易引裂性一軸延伸ポリエチレンフィルム、その積層体並びにその積層体を用いた包装袋および蓋材）
【発明の概要】
【発明が解決しようとする課題】
【００１２】
しかし、包装袋６４表側の全周に渡って閉じられるように積層体６２由来のハーフカットライン６１を設けておく必要があるという課題が残る。
【００１３】
本発明の目的は前記従来例の不都合を解消し、深絞り包装容器の密封性を維持しつつ、特殊な加工の付与・付属品の装着・特殊フィルムの使用・複雑な製造工程を必要とせず、従来の密封性の高い深絞り包装容器に簡便に付加でき、はさみやナイフ等の道具を使用しなくとも手指で簡単容易に包装容器を開封して、被包装物の形状を維持して容易に取り出すことができ、あわせて、被包装物を使用する際の容器にもなる深絞り包装容器を提供することにある。
【課題を解決するための手段】
【００１４】
前記目的を達成するため請求項１記載の本発明は、ボトムフィルムを深絞りして成形したボトムトレイに、被包装物を入れた後、トップフィルムを被せ、ボトムフィルムとトップフィルムの重なり部をシールしてなる深絞り包装容器の、該重なり部の一部をシール部と未シール部を交互に設けた部分シール部と、該部分シール部に切込み部を設け、切裂き部としたことを特徴とする深絞り包装容器を要旨とするものである。
【００１５】
請求項２記載の本発明は、切込み部は、深絞り包装容器の外辺に対して略垂直に設け、部分シール部は切込み部に平行して設けたことを要旨とするものである。
【００１６】
請求項３記載の本発明は、部分シール部は切込み部に対して略４５度上向き又は下向きに設けたことを要旨とするものである。
【発明の効果】
【００１７】
本発明は、密封性を維持しつつ、特殊な加工の付与・付属品の装着・特殊フィルムの使用・複雑な製造工程を必要とせず、従来の密封性の高い深絞り包装容器に簡便に付加でき、はさみやナイフ等の道具を使用しなくとも手指で簡単容易に包装容器を開封して、被包装物の形状を維持して容易に取り出すことができ、あわせて、被包装物を使用する際の容器にもなる深絞り包装容器を提供することができる。
【図面の簡単な説明】
【００１８】
【図１】本発明の深絞り包装容器の第１の実施形態を示す斜視図である。
【図２】本発明の深絞り包装容器の第１の実施形態の使用状態を示す説明図である。
【図３】本発明の深絞り包装容器の第１の実施形態の使用状態を示す説明図である。
【図４】本発明の深絞り包装容器の第１の実施形態を示す斜視図である。
【図５】本発明の深絞り包装容器の第１の実施形態の使用状態を示す説明図である。
【図６】本発明の深絞り包装容器の第１の実施形態の使用状態を示す説明図である。
【図７】本発明の深絞り包装容器の第２の実施形態を示す斜視図である。
【図８】本発明の深絞り包装容器の第２の実施形態の開封口部を示す部分拡大図である。
【図９】本発明の深絞り包装容器の第２の実施形態の使用状態を示す説明図である。
【図１０】本発明の深絞り包装容器の第３の実施形態を示す斜視図である。
【図１１】本発明の深絞り包装容器の第３の実施形態の開封口部を示す部分拡大図である。
【図１２】本発明の深絞り包装容器の第３の実施形態の使用状態を示す説明図である。
【図１３】本発明の深絞り包装容器の開封口部を示す部分拡大図である。
【図１４】本発明の深絞り包装容器の開封口部を示す部分拡大図である。
【図１５】本発明の深絞り包装容器の第４の実施形態の使用状態を示す説明図である。
【図１６】本発明の深絞り包装容器の製造ラインを示す説明図である。
【図１７】従来例の包装容器を示す斜視図である。
【図１８】従来例の包装容器を示す断面図である。
【図１９】従来例の包装容器を示す断面図である。
【図２０】従来例の包装容器を示す平面図である。
【発明を実施するための形態】
【００１９】
以下本発明を実施するための形態について説明するが、本発明はこれに限定されたものでないことは、言うまでもない。
【００２０】
以下図面について本発明の深絞り包装容器１の実施の形態を詳細に説明する。
【００２１】
図１は本発明の深絞り包装容器１の第１の実施形態を示す斜視図で、本発明は、ボトムフィルム３からなるボトムトレイ２と、トップフィルム４からなる。
【００２２】
開封口となるボトムフィルム端部５のボトムフィルム未シール部７と、トップフィルム端部６のトップフィルム未シール部８からなり、切裂き部１５は、ボトムフィルム３に設けたボトムフィルム切込み部１１、ボトムフィルム部分シール部１３、トップフィルム４に設けたトップフィルム切込み部１２、トップフィルム部分シール部１４からなる。
【００２３】
図２、図３、図４は、深絞り包装容器１を開封する状態を示す。開封口となるボトムフィルム未シール部７のボトムフィルム端部５と、トップフィルム未シール部８のトップフィルム端部６をつまみ、双方の未シール部分の間を開いてシール端部１０からシール部９を左右に広げるとボトムフィルム開口部２０が出現する。
【００２４】
切裂き部１５のボトムフィルム部分シール部１３、トップフィルム部分シール部１４の重なり部分に設けたボトムフィルム切込み部１１、トップフィルム切込み部１２から、トップフィルム切裂き下辺１８とトップフィルム切裂き上辺１９に引き裂かれて分かれ、ボトムフィルム開封部１６とトップフィルム開封部１７が出現し、ボトムフィルム開口部２０が現れる。
【００２５】
さらに、トップフィルム切裂き下辺１８とボトムトレイ２からなる空間にはポケット部２１が形成される。
【００２６】
本発明の深絞り包装容器１は、図１の第１の実施形態の形状の略正方形以外に、図７の第２の実施形態の横長の略矩形や、図１１の第３の実施形態の縦長の略矩形等、様々な形状とすることができる。
【００２７】
ボトムフィルム切込み部１１、トップフィルム切込み部１２は、０．１ｍｍ以上２ｍｍ未満であることが好ましい。さらに０．５ｍｍ以上１ｍｍ以下が好ましい。０．１ｍｍ未満だと少ない力で容易に切裂くことができない。２ｍｍ以上になると切裂き方向が定まりにくくなる。
【００２８】
開封口となるボトムフィルム未シール部７とトップフィルム未シール部８につながるシール端部１０と、切裂き部１５のボトムフィルム切込み部１１、トップフィルム切込み部１２の距離は、被包装物２９の大きさや、切り裂きたい場所により任意に設定することができる。
【００２９】
次に、本発明の深絞り包装容器１の製造方法を説明する。
【００３０】
深絞り包装容器１は、図１５に表す装置で製造される。深絞り包装容器１は、熱成形性の良いボトムフィルム３を、成形金型ステーション３１で加熱しながら圧空成形あるいは圧空真空成型することにより、被包装物２９にあわせたくぼみを作りボトムトレイ２とし、充填エリア３６で開口部３４からボトムトレイ２に被包装物２９を充填した後、トップフィルム供給部３７から供給されたトップフィルム４をボトムフィルム３に被せて貼着し、その後個々にカッティングして、本発明の深絞り包装容器１となる。
【００３１】
裂き部１５は、開封口となるボトムフィルム未シール部７とトップフィルム未シール部８の下部に位置するシール部９に設ける。
【００３２】
切裂き部１５は、深絞り包装容器製造ライン３０のシール金型ステーション４０で、ボトムフィルム３からなる被包装物２９を収納したボトムトレイ２と、トップフィルム４を、貼着してシール部９を設ける際、ボトムフィルム３とトップフィルム４の重なる任意の部分に部分シール部１３、１４を設け、部分シール部１３，１４の一部に、切込み部１１、１２を設ける。
【００３３】
ボトムフィルム部分シール部１３、トップフィルム部分シール部１４は、ボトムフィルム３とトップフィルム４に接する面と接しない面を形成したシール金型を、シール金型ステーション４０のボトムフィルム３とトップフィルム４を挟むように上下位置に設置して、上部の金型を下降して、ボトムフィルム３とトップフィルム４の重なり部分を熱貼着することにより設ける。
【００３４】
部分シール部１３、１４の形状は、図８に示すとおり、深絞り包装容器１の外辺に対して略垂直に設けたボトムフィルム切込み部１１、トップフィルム切込み部１２に平行して設けたが、図１３、図１４に示すとおり、斜め約４５度上向きでも、斜め約４５度下向きであってもよい。
【００３５】
ボトムフィルム部分シール部１３、トップフィルム部分シール部１４の面積は、切裂き部１５のボトムフィルム切込み部１１、トップフィルム切込み部１２を包含する大きさであればよい。
【００３６】
開封口となるボトムフィルム未シール部７とトップフィルム未シール部８につながるシール端部１０と、切裂き部１５のボトムフィルム切込み部１１、トップフィルム切込み部１２の距離は、被包装物２９の大きさや、切り裂きたい場所により任意に設定することができ、深絞り包装容器１を切裂いた際に、被包装物２９を露出したい場合は、図１５に示すとおり、切裂き部１５のボトムフィルム切込み部１１、トップフィルム切込み部１２をシール端部１０延長線上のシール部９の下部の位置に設けることにより、トップフィルム切裂き下辺１８とトップフィルム切裂き上辺１９の位置とポケット部２１の底の部分が近い、深さの浅いポケット部２１となる。反対に、切裂き部１５のボトムフィルム切込み部１１、トップフィルム切込み部１２をシール端部１０延長線上のシール部９の上部の位置に設けることにより、トップフィルム切裂き下辺１８とトップフィルム切裂き上辺１９の位置とポケット部２１の底の位置が離れた、深さの深いポケット部２１となる。
【００３７】
切込み部１１、１２は、カッティングエリア４１では、フィルムの上部に固定されていたナイフに向かって下部に設置されたカウンターバー（鋼板）が上昇して、ボトムフィルム３にナイフがあたり成形される。
【００３８】
この場合、カウンターバーが上部から下降する機構とすることもできる。
【００３９】
深絞り包装容器１のボトムフィルム３には、ポリエチレン樹脂フィルム／ポリアミド樹脂フィルム等未延伸のものを用いる。また、ポリエチレン樹脂フィルムの代わりに、ポリプロピレン樹脂フィルムその他の２００℃以下で癒着する低温癒着性フィルムも使用できる。ボトムフィルム３は、成型性を要求されるため、ＣＮ／ＣＰＰ，ＣＮ／ＥＶＯＨ／ＰＥ等からなる伸びやすい未延伸フィルムを使用する。
【００４０】
一方、トップフィルム４はボトムフィルム３のように包装容器本体の形状に成型しないため熱変形性の少ない延伸フィルムを用いる事がほとんどである。トップフィルム４としては、延伸ナイロン（ＯＮｙ）／ＬＬＤＰＥ、未延伸ポリプロピレン（ＣＰＰ）／ＯＮｙ／ＬＬＤＰＥ等の多層フィルムが使用される。
【００４１】
ポリエチレン樹脂フィルム等からなる接着層は、ボトムフィルム３とトップフィルム４の相接する面の双方にある。
【００４２】
次に、本発明の使用法および動作について説明する。
【００４３】
本発明の深絞り包装容器１を開封するためには、図２、図９、図１２、図１５に示すように、深絞り包装容器１のボトムフィルム未シール部７とトップフィルム未シール部８の間に指先を挿入してボトムフィルム端部５とトップフィルム端部６を指で摘み双方の未シール部分の間をシール端部１０まで開く。
【００４４】
トップフィルム４をさらに開くと、ボトムフィルム部分シール部１３、トップフィルム部分シール部１４の重なり部に設けたボトムフィルム切込み部１１、トップフィルム切込み部１２から、トップフィルム切裂き下辺１８とトップフィルム切裂き上辺１９を境に、トップフィルム４が切裂かれる。これにより、シール部９が、ボトムフィルム開封部１６とトップフィルム開封部１７とに開いて、ボトムフィルム３を深絞りして成形したボトムトレイ２に充填された被包装物２９を取り出すことができる。
【００４５】
切裂き部１５をボトムフィルム部分シール部１３とトップフィルム部分シール部１４内に混在して設けることにより、ボトムフィルム切込み部１１とトップフィルム切込み部１２をきっかけにして、トップフィルム４がトップフィルム切裂き下辺１８とトップフィルム切裂き上辺１９を境に、水平に引き裂かれ、ボトムフィルム開封部１６とトップフィルム開封部１７とに大きく開き、ボトムフィルム開口部２０が現れる。
【００４６】
ボトムフィルム開口部２０から、ボトムフィルム３を深絞りして成形したボトムトレイ２に充填された被包装物２９を取り出すことができる。
【００４７】
このように、ポリエチレン樹脂フィルム等からなる接着層は、イージーピール機能を有し、開封口となるボトムフィルム未シール部７とトップフィルム未シール部８のボトムフィルム端部５とトップフィルム端部６を摘んで、開封開始後、切裂き部１５に小さなノッチとして設けたボトムフィルム切込み部１１、トップフィルム切込み部１２まで開封が到達すると、ボトムフィルム切込み部１１、トップフィルム切込み部１２をきっかけにしてトップフィルム４だけが切り裂けはじめ、トップフィルム切裂き下辺１８とトップフィルム切裂き上辺１９を境に、トップフィルム４が切裂かれる。
【００４８】
これにより、シール部９が、ボトムフィルム開封部１６とトップフィルム開封部１７とに開く。切裂きはじめたトッブフィルム４は、ボトムフィルム切込み部１１、トップフィルム切込み部１２の方向に、トップフィルム切裂き下辺１８とトップフィルム切裂き上辺１９を境に、トップフィルム４が切裂き時に方向性を得て略水平に裂ける。さらに切裂き続けると、トッブフィルム開封部１７はシール部９が開き、ちぎれとれる。
【００４９】
ここで、ボトムフィルム切込み部１１とトップフィルム切込み部１２をボトムフィルム部分シール部１３とトップフィルム部分シール部１４外のシール部９に設けた場合には、トップフィルム４が切裂き時に方向性を得ることができず、斜め下に裂けたりたりして、略水平に裂けない。
【００５０】
図５、図６に示すとおり、トップフィルム開封部１７が大きく開くと袋状のポケット部２１が出現して、被包装物２９を保持する。
【００５１】
これにより、被包装物２９を取出し時に手を汚しにくくし、開封時や、取出し時に、被包装物２９のドリップや、ソースが下に溜まりこぼれにくくなる。
【００５２】
被包装物２９が、固形状と液状の混合物や、液状のものである場合は、トップフィルム切裂き下辺１８とボトムトレイ２からなる空間に設けられたポケット部２１に収納され、こぼれ出ずに済む。ボトムフィルム開封部１６からトップフィルム開封部１７を引きはがして分離すれば、ポケット部２１を食器代わりに使用することもできる。
【００５３】
さらに、深絞り包装容器１を開封するには、はさみ等の道具を用いずに、トップフィルム開封部１７を素早く容易に大きく開くことができ、ボトムフィルム開口部２０から被包装物２９を開封が素早くできる。
【００５４】
トップフィルム開封部１７を素早く容易に大きく開くことができ、被包装物２９の−部が露出するため、取り出しが容易となる。素早い開封と被包装物２９に触れずに容易に取出すことができ、一刻を争い、衛生保持が重要な医療現場では特に有用である。
【００５５】
本発明の深絞り包装容器１の被包装物２９としては、ハム、ベーコン、卵焼き、かまぼこ等の魚肉卵加工製品や、チーズ、ソースやたれをからめたハンバーグや煮物等惣菜、メディカルの注射器・注射針等、食品・医療用機器等の幅広いものがある。
【産業上の利用可能性】
【００５６】
本発明は、密封性を維持しつつ、特殊な加工の付与・付属品の装着・特殊フィルムの使用・複雑な製造工程を必要とせず、従来の密封性の高い深絞り包装容器に簡便に付加でき、はさみやナイフ等の道具を使用しなくとも手指で簡単容易に包装容器を開封して、被包装物の形状を維持して容易に取り出すことができ、あわせて、被包装物を使用する際の容器にもなる深絞り包装容器を提供することができる。
【００５７】
本発明は、道具を使用せずに、手指の少ない力で簡単に開封して被包装物を容易に取り出すことができるユニバーサルデザインの深絞り包装容器を提供することができる。
【符号の説明】
【００５８】
１    深絞り包装容器
２    ボトムトレイ
３    ボトムフィルム
４    トップフィルム
５    ボトムフィルム端部
６    トップフィルム端部
７    ボトムフィルム未シール部
８    トップフィルム未シール部
９    シール部
１０  シール端部
１１  ボトムフィルム切込み部
１２  トップフィルム切込み部
１３  ボトムフィルム部分シール部
１４  トップフィルム部分シール部
１５  切裂き部
１６  ボトムフィルム開封部
１７  トップフィルム開封部
１８  トップフィルム切裂き下辺
１９  トップフィルム切裂き上辺
２０  ボトムフィルム開口部
２１  ポケット部
２９  被包装物
３０  深絞り包装容器製造ライン
３１  成形金型ステーション
３６  充填エリア
３７  トップフィルム供給部
４０  シール金型ステーション
４１  カッティングエリア
５０  ノッチ
５１  ティアテープ
５２  シール縁部
６０  一軸延伸ポリエチレンフィルム
６１  ハーフカットライン
６２  積層体
６３  熱接着性樹脂層
６４  包装袋
６５  ノッチ
６６  熱接着部
【図１】
2019099235.tif 000003
【図２】
2019099235.tif 000004
【図３】
2019099235.tif 000005
【図４】
2019099235.tif 000006
【図５】
2019099235.tif 000007
【図６】
2019099235.tif 000008
【図７】
2019099235.tif 000009
【図８】
2019099235.tif 000010
【図９】
2019099235.tif 000011
【図１０】
2019099235.tif 000012
【図１１】
2019099235.tif 000013
【図１２】
2019099235.tif 000014
【図１３】
2019099235.tif 000015
【図１４】
2019099235.tif 000016
【図１５】
2019099235.tif 000017
【図１６】
2019099235.tif 000018
【図１７】
2019099235.tif 000019
【図１８】
2019099235.tif 000020
【図１９】
2019099235.tif 000021
【図２０】
2019099235.tif 000022